(57)【要約】      （修正有）【課題】溶接ワイヤのインチング、リトラクト、及びガスチェック等の調整作業を、作業者が溶接電源やリモコンに備えられたボタン等を使わずに、アーク溶接トーチに備えられたボタン等によって常に手元で行うことができる溶接トーチを提供する。【解決手段】アーク溶接トーチにおいて、溶接ワイヤを順方向に送給するインチングモード、溶接ワイヤを逆方向に送給するリトラクトモード及びシールドガスを放流するガスチェックモードを含む複数の調整モードのいずれか１つを選択する調整モード選択手段２３と、この調整モード選択手段によって選択された前記調整モードを識別可能に表示する表示手段２２と、前記調整モード選択手段によって選択された前記調整モードに対応した調整モード指令ＭＣを出力する実行ボタン２４と、この調整モード指令を前記溶接電源に送出するデータ送出手段と、を備えている。【選択図】図２
2007021542.tif 000002
【特許請求の範囲】
【請求項１】
溶接開始信号を溶接電源に送出するトーチスイッチを備えたアーク溶接トーチにおいて、
溶接ワイヤを順方向に送給するインチングモード、溶接ワイヤを逆方向に送給するリトラクトモード及びシールドガスを放流するガスチェックモードを含む複数の調整モードのいずれか１つを選択する調整モード選択手段と、
この調整モード選択手段によって選択された前記調整モードを識別可能に表示する表示手段と、
配設された実行ボタンがオンされたときは前記調整モード選択手段によって選択された前記調整モードに対応した調整モード指令を出力する調整モード指令手段と、
この調整モード指令を前記溶接電源に送出するデータ送出手段と、を備え、
前記調整モード指令としてインチングモード指令が送出されたときは前記溶接電源は出力電圧を停止したままで溶接ワイヤを順方向に予め定めた調整値の速度で送給し、
前記調整モード指令としてリトラクトモード指令が送出されたときは前記溶接電源は出力電圧を停止したままで溶接ワイヤを逆方向に予め定めた調整値の速度で送給し、
前記調整モード指令としてガスチェックモード指令が送出されたときは前記溶接電源は出力電圧を停止したままでシールドガスを予め定めた調整値の流量で放流することを特徴とするアーク溶接トーチ。
【請求項２】
溶接開始信号を溶接電源に送出するトーチスイッチを備えたアーク溶接トーチにおいて、
溶接ワイヤを順方向に送給するインチングモード、溶接ワイヤを逆方向に送給するリトラクトモード、シールドガスを放流するガスチェックモード及び溶接を行う溶接モードを含む複数の調整モードのいずれか１つを選択する調整モード選択手段と、
この調整モード選択手段によって選択された前記調整モードを識別可能に表示する表示手段と、
前記トーチスイッチがオンされたときは前記調整モード選択手段によって選択された前記調整モードに対応した調整モード指令を出力する調整モード指令手段と、
この調整モード指令を前記溶接電源に送出するデータ送出手段と、を備え、
前記調整モード指令としてインチングモード指令が送出されたときは前記溶接電源は出力電圧を停止したままで溶接ワイヤを順方向に予め定めた調整値の速度で送給し、
前記調整モード指令としてリトラクトモード指令が送出されたときは前記溶接電源は出力電圧を停止したままで溶接ワイヤを逆方向に予め定めた調整値の速度で送給し、
前記調整モード指令としてガスチェックモード指令が送出されたときは前記溶接電源は出力電圧を停止したままでシールドガスを予め定めた調整値の流量で放流し、
前記調整モード指令として溶接モード指令が送出されたときは前記溶接電源は出力電圧を印可しアーク溶接を開始することを特徴とするアーク溶接トーチ。
【請求項３】
溶接開始信号を溶接電源に送出するトーチスイッチを備えたアーク溶接トーチにおいて、
溶接ワイヤを送給するワイヤ送給モード、及びシールドガスを放流するガスチェックモードを含む複数の調整モードのいずれか１つを選択する調整モード選択手段と、
この調整モード選択手段によって選択された前記調整モードを識別可能に表示する表示手段と、
第１実行ボタン及び第２実行ボタンを配設し、前記調整モード選択手段によって選択された前記調整モードが前記ワイヤ送給モードでありかつ前記第１実行ボタンがオンされたときはインチングモード指令を出力し、前記ワイヤ送給モードでありかつ前記第２実行ボタンがオンされたときはリトラクトモード指令を出力し、前記ガスチェックモードでありかつ前記第１実行ボタンがオンされたときはガスチェックモード指令を出力する調整モード指令手段と、
この調整モード指令を前記溶接電源に送出するデータ送出手段と、を備え、
前記調整モード指令としてインチングモード指令が送出されたときは前記溶接電源は出力電圧を停止したままで溶接ワイヤを順方向に予め定めた調整値の速度で送給し、
前記調整モード指令としてリトラクトモード指令が送出されたときは前記溶接電源は出力電圧を停止したままで溶接ワイヤを逆方向に予め定めた調整値の速度で送給し、
前記調整モード指令としてガスチェックモード指令が送出されたときは前記溶接電源は出力電圧を停止したままでシールドガスを予め定めた調整値の流量で放流することを特徴とするアーク溶接トーチ。
【請求項４】
前記調整モード選択手段によって選択された前記調整モードに対応して予め定められた調整値を、増加させる第１調整ボタン及び減少させる第２調整ボタンをさらに備え、
前記データ送出手段は前記調整モード指令及びそれに対応した前記調整値を前記溶接電源に送出する、ことを特徴とする請求項１乃至３のいずれか１項に記載のアーク溶接トーチ。
【発明の詳細な説明】
【技術分野】
【０００１】
本発明は、溶接ワイヤのインチング、リトラクト及びガスチェック等の調整作業をアーク溶接トーチに備えられたボタン等によって行うことができるアーク溶接トーチに関する。
【背景技術】
【０００２】
図９は、従来のアーク溶接装置の概略構成図である。同図において、アーク溶接装置は、溶接電源１０と、シールドガスが充填されたガスボンベ１５と、ガスボンベ１５に取り付けられたガス流量調整器１６と、溶接ワイヤを巻回したワイヤリール１１と、溶接用電力、溶接ワイヤ及びシールドガスの中継及び供給を行なうワイヤ送給機１２と、トーチスイッチ２１を設けたアーク溶接トーチ１４とにより構成される。このアーク溶接装置によってワークＷはアーク溶接される。
【０００３】
作業者が溶接作業を行うワークＷの設置位置と溶接電源１０の設置位置とが離れている場合も多いので、上述した構成に、リモコン１７を加えるのが一般的である。リモコン１７には、溶接施工条件を調整するためのツマミ、ボタン等が備わっている。このため、作業者が常にリモコン１７を手元に持ち運んでいれば、溶接施工条件の調整操作等が必要な際に、いちいち溶接電源１０の設置位置まで移動する必要がない。すなわち、調整操作の際の移動の煩雑さを解消することができる（例えば、特許文献１参照）。
【０００４】
さらに、近年では、溶接施工条件を溶接電源１０又はリモコン１７ではなく、アーク溶接トーチ１４で調整できるように改良を加えて、作業者により近い位置で溶接施工条件の調整操作を可能にしている。
【０００５】
図１０は、この溶接施工条件の調整を可能にしたアーク溶接トーチの操作部の概略図である。同図（ａ）はアーク溶接トーチ１４を側面から見た図であり、トーチスイッチ２１が備わっている。トーチスイッチ２１をオンすることにより、トーチ先端部からシールドガスが放流され、ワイヤが送給され、ワークＷとワイヤ先端との間に出力電圧が印加され、アーク溶接が開始される。
【０００６】
同図（ｂ）は、同図（ａ）をＡの方向から見た図である。同図（ｂ）に示すようにアーク溶接トーチ１４には、表示器２２と、調整モード選択ボタン２３と、第１調整ボタン２４ａ及び第２調整ボタン２４ｂとが備わっている。調整モード選択ボタン２３を押すことによって、溶接施工条件を調整するための溶接電流調整モード及び溶接電圧調整モードが順番に選択され、選択された調整モードは表示器２２に識別可能に表示される。表示器２２には選択された調整モードにおける調整値（溶接電流設定値及び溶接電圧設定値）も同時に表示されており、第１調整ボタン２４ａを押すことによって調整値が増加し、第２調整ボタン２４ｂを押すことによって調整値が減少する。そして、この調整値は溶接電源１０に送出され、溶接電源１０に記憶される。
【０００７】
このように、近年においては、溶接電流、溶接電圧等の溶接施工条件を溶接電源１０又はリモコン１７ではなく、アーク溶接トーチ１４を用いて調整することが可能になっている。
【特許文献１】特開昭６２−００６７７７号公報
【発明の開示】
【発明が解決しようとする課題】
【０００８】
ところで、アーク溶接作業においては、溶接電流・電圧の調整だけでなく、作業者が溶接を開始する前の調整作業として、溶接ワイヤを順方向に送給するインチング作業、シールドガスが放流されるか否かをチェックするガスチェック作業等が不可欠である。従来、これらの調整作業は、溶接電源１０に備えられたインチングボタン又はガスチェックボタンを用いて行っていた。上述したように溶接電源１０はワークＷの設置位置から離れて設置されている場合が多いため、インチング作業、ガスチェック作業等の調整作業が必要な場合は、その都度、溶接電源１０が設置された位置まで作業者が移動してから操作を行う煩雑さがある。さらに、特許文献１に記載されているように、持ち運び可能なリモコン１７でもインチング作業等が行える改良がなされているものの、次の課題を有している。
【０００９】
溶接作業をする際、作業者が常にリモコン１７を持ち運ぶとは限らない。例えば、ワークＷが非常に大きく溶接箇所が多いと、作業者はリモコン１７をワークＷに近い位置まで持ち運ぶが、作業者の手元までは持ち運ばない場合が多い。また、リモコン１７と溶接電源１０とを接続するケーブルの長さには限り（例えば５ｍ等）があるので、リモコン１７を作業者の手元まで持ち運べない場合もある。すなわち、作業者はリモコン１７を作業者の近くまでは持ち運ぶことができるが、作業者の常に手元まで持ち運ぶことは煩雑である。したがって、インチング等の調整作業が必要な場合は、リモコン１７の位置まで移動してから調整作業を行わなければならないという煩雑さがある。
【００１０】
そこで、本発明は、作業者が溶接ワイヤのインチング、リトラクト及びガスチェックの調整作業を常に手元で行うことができるアーク溶接トーチを提供する。
【課題を解決するための手段】
【００１１】
上記目的を達成するために、第１の発明は、
溶接開始信号を溶接電源に送出するトーチスイッチを備えたアーク溶接トーチにおいて、
溶接ワイヤを順方向に送給するインチングモード、溶接ワイヤを逆方向に送給するリトラクトモード及びシールドガスを放流するガスチェックモードを含む複数の調整モードのいずれか１つを選択する調整モード選択手段と、
この調整モード選択手段によって選択された前記調整モードを識別可能に表示する表示手段と、
配設された実行ボタンがオンされたときは前記調整モード選択手段によって選択された前記調整モードに対応した調整モード指令を出力する調整モード指令手段と、
この調整モード指令を前記溶接電源に送出するデータ送出手段と、を備え、
前記調整モード指令としてインチングモード指令が送出されたときは前記溶接電源は出力電圧を停止したままで溶接ワイヤを順方向に予め定めた調整値の速度で送給し、
前記調整モード指令としてリトラクトモード指令が送出されたときは前記溶接電源は出力電圧を停止したままで溶接ワイヤを逆方向に予め定めた調整値の速度で送給し、
前記調整モード指令としてガスチェックモード指令が送出されたときは前記溶接電源は出力電圧を停止したままでシールドガスを予め定めた調整値の流量で放流することを特徴とするアーク溶接トーチである。
【００１２】
第２の発明は、
溶接開始信号を溶接電源に送出するトーチスイッチを備えたアーク溶接トーチにおいて、
溶接ワイヤを順方向に送給するインチングモード、溶接ワイヤを逆方向に送給するリトラクトモード、シールドガスを放流するガスチェックモード及び溶接を行う溶接モードを含む複数の調整モードのいずれか１つを選択する調整モード選択手段と、
この調整モード選択手段によって選択された前記調整モードを識別可能に表示する表示手段と、
前記トーチスイッチがオンされたときは前記調整モード選択手段によって選択された前記調整モードに対応した調整モード指令を出力する調整モード指令手段と、
この調整モード指令を前記溶接電源に送出するデータ送出手段と、を備え、
前記調整モード指令としてインチングモード指令が送出されたときは前記溶接電源は出力電圧を停止したままで溶接ワイヤを順方向に予め定めた調整値の速度で送給し、
前記調整モード指令としてリトラクトモード指令が送出されたときは前記溶接電源は出力電圧を停止したままで溶接ワイヤを逆方向に予め定めた調整値の速度で送給し、
前記調整モード指令としてガスチェックモード指令が送出されたときは前記溶接電源は出力電圧を停止したままでシールドガスを予め定めた調整値の流量で放流し、
前記調整モード指令として溶接モード指令が送出されたときは前記溶接電源は出力電圧を印可しアーク溶接を開始することを特徴とするアーク溶接トーチである。
【００１３】
第３の発明は、
溶接開始信号を溶接電源に送出するトーチスイッチを備えたアーク溶接トーチにおいて、
溶接ワイヤを送給するワイヤ送給モード、及びシールドガスを放流するガスチェックモードを含む複数の調整モードのいずれか１つを選択する調整モード選択手段と、
この調整モード選択手段によって選択された前記調整モードを識別可能に表示する表示手段と、
第１実行ボタン及び第２実行ボタンを配設し、前記調整モード選択手段によって選択された前記調整モードが前記ワイヤ送給モードでありかつ前記第１実行ボタンがオンされたときはインチングモード指令を出力し、前記ワイヤ送給モードでありかつ前記第２実行ボタンがオンされたときはリトラクトモード指令を出力し、前記ガスチェックモードでありかつ前記第１実行ボタンがオンされたときはガスチェックモード指令を出力する調整モード指令手段と、
この調整モード指令を前記溶接電源に送出するデータ送出手段と、を備え、
前記調整モード指令としてインチングモード指令が送出されたときは前記溶接電源は出力電圧を停止したままで溶接ワイヤを順方向に予め定めた調整値の速度で送給し、
前記調整モード指令としてリトラクトモード指令が送出されたときは前記溶接電源は出力電圧を停止したままで溶接ワイヤを逆方向に予め定めた調整値の速度で送給し、
前記調整モード指令としてガスチェックモード指令が送出されたときは前記溶接電源は出力電圧を停止したままでシールドガスを予め定めた調整値の流量で放流することを特徴とするアーク溶接トーチである。
【００１４】
第４の発明は、
前記調整モード選択手段によって選択された前記調整モードに対応して予め定められた調整値を、増加させる第１調整ボタン及び減少させる第２調整ボタンをさらに備え、
前記データ送出手段は前記調整モード指令及びそれに対応した前記調整値を前記溶接電源に送出する、ことを特徴とする第１乃至第３の発明のいずれか１に記載のアーク溶接トーチである。
【発明の効果】
【００１５】
第１の発明によれば、アーク溶接トーチにインチング、リトラクト及びガスチェックの調整手段を設けたので、離れた位置にある溶接電源又はリモコンまで移動しなくても、常に手元で調整作業を行うことができる。
【００１６】
第２の発明によれば、第１の発明に記載の実行ボタンを作業者の掌にあたる部分に配置されたトーチスイッチで代用したので、実行ボタンを操作するよりも容易且つ機敏な操作で調整作業を行うことができる。すなわち、第１の発明による効果に加え、操作性をより一層向上させることができる。
【００１７】
第３の発明によれば、第１及び第２の発明に記載のインチングモードとリトラクトモードとを１つのワイヤ送給モードとし、２つの実行ボタンでインチングとリトラクトを切り替えるようにしたので、調整モード選択操作の煩雑さを低減し、直感的で分かり易い操作で調整作業を行うことができる。すなわち、第１の発明による効果に加え、操作性をより一層向上させることができる。
【００１８】
第４の発明によれば、インチング、リトラクト又はガスチェックの各調整モードにおける調整値を可変にしたので、例えば、溶接ワイヤの交換時にインチングを高速に行えば、交換作業を短時間で行うことができる。また、ガスチェック時のガスの放流量を少なくすれば資源の節約になるので、経費低減及びＣＯ２ガスの排出量低減に貢献できる。
【発明を実施するための最良の形態】
【００１９】
［実施の形態１］
発明の実施の形態を実施例に基づき図面を参照して説明する。
【００２０】
図１は、本発明の第１実施形態を示すアーク溶接トーチの操作部の概略図である。同図に示すように、アーク溶接トーチの操作部には表示部２２、調整モード選択ボタン２３、及び実行ボタン２４が備わっている。
【００２１】
図２は、本発明の第１実施形態を示すアーク溶接トーチのブロック図である。同図に示すように、アーク溶接トーチは、調整モード選択ボタン２３と調整モード制御部ＳＣとから成る調整モード選択制御部３１、表示部２２、実行ボタン２４、調整モード指令制御部ＴＣ及びデータ送出制御部ＤＣから構成されている。同図において、調整モード選択ボタン２３、表示部２２、実行ボタン２４は、図１と同符号を付与した同一のものである。
【００２２】
以下、アーク溶接トーチ及びアーク溶接装置全体の動作を説明する。
【００２３】
調整モード選択ボタン２３が押されることによって、調整モード制御部ＳＣが、溶接ワイヤを順方向に送給するインチングモード、溶接ワイヤを逆方向に送給するリトラクトモード及びシールドガスを放流するガスチェックモードを順番に選択する。そして、選択された調整モードに対応した調整モード情報Ｍｉを表示部２２と調整モード指令制御部ＴＣに出力する。表示部２２では出力された調整モード情報Ｍｉに基づいて、選択された調整モードを識別可能に表示する。この際の表示は文字によるものでも良いし、アイコンによる表示でも良い。
【００２４】
次に、実行ボタン２４が押されることによって、調整モード指令制御部ＴＣは出力された調整モード情報Ｍｉに基づいて、調整モード指令Ｍｃをデータ送出制御部ＤＣに出力する。データ送出制御部ＤＣは、この調整モード指令Ｍｃを溶接電源１０に送出する。
【００２５】
そして、調整モード指令Ｍｃとしてインチングモード指令が送出されたときは、溶接電源は出力電圧を停止したままで、インチング指令と予め定めたワイヤ送給速度指令をワイヤ送給装置に送出する。その結果、溶接ワイヤの順方向送給が予め定めた調整値の速度で行われる。
【００２６】
また、調整モード指令Ｍｃとしてリトラクトモード指令が送出されたときは、溶接電源は出力電圧を停止したままで、リトラクト指令と予め定めたワイヤ送給速度指令をワイヤ送給装置に送出する。その結果、溶接ワイヤの逆方向送給が予め定めた調整値の速度で行われる。
【００２７】
また、調整モード指令Ｍｃとしてガスチェックモード指令が送出されたときは、溶接電源は出力電圧を停止したままで、ガス放流指令と予め定めたガス流量指令をガス流量調整器に送出する。その結果、シールドガスの放流が予め定めた調整値の流量で行われる。
【００２８】
このように、アーク溶接トーチにインチング、リトラクト、及びガスチェックの調整機能を設けたので、離れた位置にある溶接電源又はリモコンまで移動しなくても、常に手元で調整作業が行うことができる。
【００２９】
［実施の形態２］
次に本発明の第２実施形態について説明する。
【００３０】
図３は、本発明の第２実施形態を示すアーク溶接トーチの操作部の概略図である。同図に示すように、アーク溶接トーチの操作部には表示部２２及び調整モード選択ボタン２３が備わっている。そして、操作部の真裏の位置に、点線枠を付与したトーチスイッチ２１が備わっている。なお、本実施形態においては、第１実施形態における実行ボタン２４がトーチスイッチ２１に置き換わっている。
【００３１】
図４は、本発明の第２実施形態を示すアーク溶接トーチのブロック図である。同図に示すように、アーク溶接トーチは、調整モード選択ボタン２３と調整モード制御部ＳＣとから成る調整モード選択制御部３１、表示部２２、トーチスイッチ２１、調整モード指令制御部ＴＣ及びデータ送出制御部ＤＣから構成されている。同図において、調整モード選択ボタン２３及び表示部２２は、図３と同符号を付与した同一のものである。
【００３２】
以下、アーク溶接トーチ及びアーク溶接装置全体の動作を説明する。
【００３３】
調整モード選択ボタン２３が押されることによって、調整モード制御部ＳＣが、溶接ワイヤを順方向に送給するインチングモード、溶接ワイヤを逆方向に送給するリトラクトモード、シールドガスを放流するガスチェックモード及び溶接を行う溶接モードを順番に選択する。そして、選択された調整モードに対応した調整モード情報Ｍｉを表示部２２と調整モード指令制御部ＴＣに出力する。表示部２２では出力された調整モード情報Ｍｉに基づいて、選択された調整モードを識別可能に表示する。この際の表示は文字によるものでも良いし、アイコンによる表示でも良い。
【００３４】
次に、トーチスイッチ２１がオンされることによって、調整モード指令制御部ＴＣは出力された調整モード情報Ｍｉに基づいて、調整モード指令Ｍｃをデータ送出制御部ＤＣに出力する。データ送出制御部ＤＣは、この調整モード指令Ｍｃを溶接電源１０に送出する。
【００３５】
そして、調整モード指令Ｍｃとしてインチングモード指令が送出されたときは、溶接電源は出力電圧を停止したままで、インチング指令と予め定めたワイヤ送給速度指令をワイヤ送給装置に送出する。その結果、溶接ワイヤの順方向送給が予め定めた調整値の速度で行われる。
【００３６】
また、調整モード指令Ｍｃとしてリトラクトモード指令が送出されたときは、溶接電源は出力電圧を停止したままで、リトラクト指令と予め定めたワイヤ送給速度指令をワイヤ送給装置に送出する。その結果、溶接ワイヤの逆方向送給が予め定めた調整値の速度で行われる。
【００３７】
また、調整モード指令Ｍｃとしてガスチェックモード指令が送出されたときは、溶接電源は出力電圧を停止したままで、ガス放流指令と予め定めたガス流量指令をガス流量調整器に送出する。その結果、シールドガスの放流が予め定めた調整値の流量で行われる。
【００３８】
また、調整モード指令Ｍｃとして溶接モード指令が送出されたときは、溶接電源は出力電圧を印可してアーク溶接を開始する。
【００３９】
このように、実行ボタンを作業者の掌にあたる部分に配置されたトーチスイッチで代用したので、実行ボタンを操作するよりも容易且つ機敏な操作で調整作業を行うことができる。すなわち、第１の発明による効果に加え、操作性をより一層向上させることができる。
【００４０】
［実施の形態３］
次に本発明の第３実施形態について説明する。
【００４１】
図５は、本発明の第３実施形態を示すアーク溶接トーチの操作部の概略図である。同図に示すように、アーク溶接トーチの操作部には表示部２２、調整モード選択ボタン２３、第１実行ボタン２４ａ及び第２実行ボタン２４ｂが備わっている。なお、本実施形態においては、第１実施形態と比較して実行ボタン２４が２つ備わっている。
【００４２】
図６は、本発明の第３実施形態を示すアーク溶接トーチのブロック図である。同図に示すように、アーク溶接トーチは、調整モード選択ボタン２３と調整モード制御部ＳＣとから成る調整モード選択制御部３１、表示部２２、第１実行ボタン２４ａ、第２実行ボタン２４ｂ、調整モード指令制御部ＴＣ及びデータ送出制御部ＤＣから構成されている。同図において、調整モード選択ボタン２３、第１実行ボタン２４ａ、第２実行ボタン２４ｂ及び表示部２２は、図５と同符号を付与した同一のものである。
【００４３】
以下、アーク溶接トーチ及びアーク溶接装置全体の動作を説明する。
【００４４】
調整モード選択ボタン２３ａ又は２３ｂが押されることによって、調整モード制御部ＳＣが、溶接ワイヤを送給するワイヤ送給モード及びシールドガスを放流するガスチェックモードを順番に選択する。そして、選択された調整モードに対応した調整モード情報Ｍｉを表示部２２と調整モード指令制御部ＴＣに出力する。表示部２２では出力された調整モード情報Ｍｉに基づいて、選択された調整モードを識別可能に表示する。この際の表示は文字によるものでも良いし、アイコンによる表示でも良い。
【００４５】
調整モード指令制御部ＴＣは、調整モード情報Ｍｉがワイヤ送給モードであれば、実行ボタン２４ａが押されることによって、調整モード指令Ｍｃとしてインチングモード指令をデータ送出制御部ＤＣに出力する。データ送出制御部ＤＣは、このインチングモード指令を溶接電源１０に送出する。
【００４６】
また、調整モード情報Ｍｉがワイヤ送給モードであれば、実行ボタン２４ｂが押されることによって、調整モード指令Ｍｃとしてリトラクトモード指令をデータ送出制御部ＤＣに出力する。データ送出制御部ＤＣは、このリトラクトモード指令を溶接電源１０に送出する。
【００４７】
また、調整モード情報Ｍｉがガスチェックモードであれば、実行ボタン２４ａ又は２４ｂが押されることによって、調整モード指令Ｍｃとしてガスチェックモード指令をデータ送出制御部ＤＣに出力する。データ送出制御部ＤＣはこのガスチェックモード指令を溶接電源１０に送出する。
【００４８】
そして、調整モード指令Ｍｃとしてインチングモード指令が送出されたときは、溶接電源は出力電圧を停止したままで、インチング指令と予め定めたワイヤ送給速度指令をワイヤ送給装置に送出する。その結果、溶接ワイヤの順方向送給が予め定めた調整値の速度で行われる。
【００４９】
また、調整モード指令Ｍｃとしてリトラクトモード指令が送出されたときは、溶接電源は出力電圧を停止したままで、リトラクト指令と予め定めたワイヤ送給速度指令をワイヤ送給装置に送出する。その結果、溶接ワイヤの逆方向送給が予め定めた調整値の速度で行われる。
【００５０】
また、調整モード指令Ｍｃとしてガスチェックモード指令が送出されたときは、溶接電源は出力電圧を停止したままで、ガス放流指令と予め定めたガス流量指令をガス流量調整器に送出する。その結果、シールドガスの放流が予め定めた調整値の流量で行われる。
【００５１】
このように、第１及び第２の発明に記載のインチングモードとリトラクトモードとを１つのワイヤ送給モードとし、２つの実行ボタンでインチングとリトラクトを切り替えるようにしたので、調整モード選択操作の煩雑さを低減し、直感的で分かり易い操作で調整作業を行うことができる。すなわち、第１の発明による効果に加え、操作性をより一層向上させることができる。
【００５２】
［実施の形態４］
次に本発明の第４実施形態について説明する。
【００５３】
図７は、本発明の第４実施形態を示すアーク溶接トーチの操作部の概略図である。同図に示すように、アーク溶接トーチの操作部には表示部２２、調整モード選択ボタン２３、第１実行ボタン２４ａ、第２実行ボタン２４ｂ、第１調整ボタン２５ａ及び第２調整ボタン２５ｂが備わっている。なお、本実施形態においては、第３実施形態と比較して第１調整ボタン２５ａ及び第２調整ボタン２５ｂがさらに備わっている。
【００５４】
図８は、本発明の第４実施形態を示すアーク溶接トーチのブロック図である。同図に示すように、アーク溶接トーチは、調整モード選択ボタン２３と調整モード制御部ＳＣとから成る調整モード選択制御部３１、表示部２２、第１実行ボタン２４ａ、第２実行ボタン２４ｂ、第１調整ボタン２５ａ、第２調整ボタン２５ｂ、調整モード指令制御部ＴＣ及びデータ送出制御部ＤＣから構成されている。同図において、調整モード選択ボタン、第１実行ボタン２４ａ、第２実行ボタン２４ｂ及び表示部２２は、図７と同符号を付与した同一のものである。
【００５５】
以下、アーク溶接トーチ及びアーク溶接装置全体の動作を説明する。
【００５６】
調整モード選択ボタン２３ａ又は２３ｂが押されることによって、調整モード制御部ＳＣが、溶接ワイヤを送給するワイヤ送給モード及びシールドガスを放流するガスチェックモードを順番に選択する。そして、選択された調整モードに対応した調整モード情報Ｍｉを表示部２２と調整モード指令制御部ＴＣに出力する。表示部２２では出力された調整モード情報Ｍｉに基づいて、選択された調整モードを識別可能に表示する。この際の表示は文字によるものでも良いし、アイコンによる表示でも良い。
【００５７】
各調整モードにおけるワイヤ送給速度又はガス流量の調整値は、表示部２２に表示され、第１調整ボタン２５ａ及び第２調整ボタン２５ｂによって調整することができる。すなわち、調整モード制御部ＳＣにおいて、選択された調整モードがワイヤ送給モードであれば、第１調整ボタン２５ａが押されることによってワイヤ送給速度を増加させ、第２調整ボタン２５ｂが押されることによってワイヤ送給速度を減少させる。また、選択された調整モードがガスチェックモードであれば、第１調整ボタン２５ａが押されることによってガス流量を増加させ、第２調整ボタン２５ｂが押されることによってガス流量を減少させる。これらの調整値は、調整モード情報Ｍｉとして表示部２２と調整モード指令制御部ＴＣに出力される。
【００５８】
調整モード指令制御部ＴＣは、調整モード情報Ｍｉがワイヤ送給モードであれば、実行ボタン２４ａが押されることによって、調整モード指令Ｍｃとしてインチングモード指令とワイヤ送給速度とをデータ送出制御部ＤＣに出力する。データ送出制御部ＤＣは、このインチングモード指令とワイヤ送給速度とを溶接電源１０に送出する。
【００５９】
また、調整モード情報Ｍｉがワイヤ送給モードであれば、実行ボタン２４ｂが押されることによって、調整モード指令Ｍｃとしてリトラクトモード指令とワイヤ送給速度とをデータ送出制御部ＤＣに出力する。データ送出制御部ＤＣは、このリトラクトモード指令とワイヤ送給速度とを溶接電源１０に送出する。
【００６０】
また、調整モード情報Ｍｉがガスチェックモードであれば、実行ボタン２４ａ又は２４ｂが押されることによって、調整モード指令Ｍｃとしてガスチェックモード指令とガス流量をデータ送出制御部ＤＣに出力する。データ送出制御部ＤＣはこのガスチェックモード指令とガス流量とを溶接電源１０に送出する。
【００６１】
そして、調整モード指令Ｍｃとしてインチングモード指令が送出されたときは、溶接電源は出力電圧を停止したままで、インチング指令とワイヤ送給速度指令とをワイヤ送給装置に送出する。その結果、溶接ワイヤの順方向送給が調整されたワイヤ送給速度で行われる。
【００６２】
また、調整モード指令としてリトラクトモード指令が送出されたときは、溶接電源は出力電圧を停止したままで、リトラクト指令とワイヤ送給速度指令とをワイヤ送給装置に送出する。その結果、溶接ワイヤの逆方向送給が調整されたワイヤ送給速度で行われる。
【００６３】
また、調整モード指令としてガスチェックモード指令が送出されたときは、溶接電源は出力電圧を停止したままで、ガス放流指令とガス流量指令とを、ガス流量調整器に送出する。その結果、シールドガスの放流が調整されたガス流量で行われる。
【００６４】
このように、インチング、リトラクト又はガスチェックの各調整モードにおける調整値を可変にしたので、例えば、溶接ワイヤの交換時にインチングを高速に行えば、交換作業を短時間で行うことができる。また、ガスチェック時のガスの放流量を少なくすれば資源の節約になるので、経費低減及びＣＯ２ガスの排出量低減に貢献できる。
【図面の簡単な説明】
【００６５】
【図１】本発明の第１実施形態を示すアーク溶接トーチの操作部の概略図である。
【図２】本発明の第１実施形態を示すアーク溶接トーチのブロック図である。
【図３】本発明の第２実施形態を示すアーク溶接トーチの操作部の概略図である。
【図４】本発明の第２実施形態を示すアーク溶接トーチのブロック図である。
【図５】本発明の第３実施形態を示すアーク溶接トーチの操作部の概略図である。
【図６】本発明の第３実施形態を示すアーク溶接トーチのブロック図である。
【図７】本発明の第４実施形態を示すアーク溶接トーチの操作部の概略図である。
【図８】本発明の第４実施形態を示すアーク溶接トーチのブロック図である。
【図９】従来のアーク溶接トーチを使用したアーク溶接装置の概略構成図である。
【図１０】従来のアーク溶接トーチの操作部の概略図である。
【符号の説明】
【００６６】
１０            溶接電源
１１            ワイヤリール
１２            ワイヤ送給機
１４            アーク溶接トーチ
１５            ガスボンベ
１６            ガス流量調整器
１７            リモコン
２１            トーチスイッチ
２２            表示器
２３            調整モード選択ボタン
２４            実行ボタン
２４ａ            第１実行ボタン
２４ｂ            第２実行ボタン
２４ａ            第１調整ボタン
２４ｂ            第２調整ボタン
３１            調整モード選択制御部
ＤＣ            データ送出制御部
ＳＣ            調整モード制御部
ＴＣ            調整モード指令制御部
Ｍｉ            調整モード情報
Ｍｃ            調整モード指令
Ｗ            ワーク
【図１】
2007021542.tif 000003
【図２】
2007021542.tif 000004
【図３】
2007021542.tif 000005
【図４】
2007021542.tif 000006
【図５】
2007021542.tif 000007
【図６】
2007021542.tif 000008
【図７】
2007021542.tif 000009
【図８】
2007021542.tif 000010
【図９】
2007021542.tif 000011
【図１０】
2007021542.tif 000012